(57)【要約】      （修正有）【課題】ヒップアップ性が良好で、ヒップラインが目立たず、デザイン性に優れ、ロング・ガードルとの重ね履きの選択使用が可能であり、ボディラインが肥満とならず、スッキリとし、履き心地が良く、歩行も軽快である。【解決手段】下着本体１と、分離可能なブラジャー２とを備え、下着本体が、ブラジャーの左右のカップ部４、４′を収容可能な正面Ｕ字状の凹状部、または左右のカップ部を収容する２つのくり部５,５′を胸部に形成され、下方部には両肢を挿入する開口部６,６′を有するショーツ形の下装部７が形成され、下装部が、後身頃Ｂの中央に伸縮性を有する幅狭の履帯体８を縦長に設け、その左右には腸骨付近を横切って足の付け根付近に到る円弧状の臀部くり部を形成した。【選択図】図１
0003134284.tif 000002
【実用新案登録請求の範囲】
【請求項１】
下着本体と、該下着本体に対し分離可能に設けられるブラジャーとを備え、前記下着本体が、略アンダー・バストに到る身丈に形成され、前記ブラジャーの左右のカップ部を一緒に収容可能な凹状部、または前記ブラジャーの左右のカップ部のアンダー・バスト部を収容する形状、身丈にて上縁部が凹設された２つのくり部を前身頃の胸部に形成され、前記下着本体の下方部には左右の両肢を各個に挿入する開口部を左右に有するショーツ形の下装部が一体に形成されたファンデーション下着において、
前記下装部が、後身頃の中央に伸縮性を有する背面略Ｙ字状をなす幅狭の履帯体を縦長に設け、該履帯体の左右には腰の腸骨付近を横切って足の付け根付近に到る上向きに凸の円弧状の臀部くり部を前記履帯体を中心に略左右対称に形成したことを特徴とするファンデーション下着。
【請求項２】
前記下着本体が、横方向に大きく伸縮する布帛により形成され、ヒップ・アップと横腹の引き締めとを行うヒップ・アップ兼引き締め構成片を前記履帯体を中央にして大臀筋の上部から左右の足の付け根に沿って腸骨の上部を覆うように設けたことを特徴とする請求項１記載のファンデーション下着。
【請求項３】
前記下装部が、前記履帯体と、前記臀部くり部と、によりＴバックを形成したことを特徴とする請求項１または請求項２に記載のファンデーション下着。
【請求項４】
前記履帯体が、股間を通り前身頃の中央を経て両足の付け根に到る正面略Ｙ字状をなす前部履帯体と、該前部履帯体に係止手段により係脱可能となる縦方向に伸縮性を有する後部履帯体とにより形成されることを特徴とする請求項１−請求項３の何れかに記載のファンデーション下着。
【請求項５】
上記請求項１−３の何れかの構造のファンデーション下着において、ロング・ガードルが組み合わされて選択して装用されることを特徴とするファンデーション下着。
【考案の詳細な説明】
【技術分野】
【０００１】
本考案は、ファンデーション下着に関し、女性が装用されることによりバスト、ウェスト、ヒップ等のボディラインを総合的に整え、また、ショーツ形の下装部における両肢を挿入するための開口部の周囲に形成される縁取り部の線がスカート、ズボン等のアウターの上面にヒップラインに沿って外観的に現れて目立たず、装着性を良好にしようとするものである。
【背景技術】
【０００２】
従来、例えば女性用下着として、ブラジャー部と、該ブラジャー部とは別体にウェスト部や腹部を覆い、さらには、ヒップアップがはかれるショーツ形の下装部が形成された下着本体とで構成され、バスト、ウェスト、ヒップ等のボディラインを総合的に整えるようにしたボディスーツがあった（例えば特許文献１参照）。
【特許文献１】実公平４−３５３６４号公報
【考案の開示】
【考案が解決しようとする課題】
【０００３】
しかしながら、特許文献１に記載の上記従来のボディスーツは、下着本体の下装部が、左右の両肢を各個に挿入する開口部を左右に有するショーツ形の下装部が一体に形成されるものなので、ショーツ形の下装部における両肢を挿入するための開口部の周囲に形成される縁取り部の線がスカート、ズボン等のアウターを着用した場合に、ヒップラインに沿って外観的に現れて目立ち、スマートさに欠けて見苦しく、デザイン性を損なうものであった。また、装着性、爽快性の点で充分に満足されるというものではなく、改善の余地を残すものであった。そのうえ、特許文献１に記載の上記従来のボディスーツでは、左右の両肢を各個に挿入するため筒状の脚挿入部を左右に有するロング・ガードルをショーツ形の下装部と重ね履きして併用することを予定するものではなく、仮にロング・ガードルとショーツ形の下装部とを重ね履きした場合には、厚さが増大し、体形を整える観点からは下肢が肥満となって不体裁になり、履き心地が悪く、装着性が良いものではなかった。
【０００４】
本考案は上記従来の欠点を解決し、ヒップアップ性が良好であり、ヒップラインが外観的に目立つことなく、外観的なデザイン性に優れ、また、ロング・ガードルを重ね履きする選択使用が可能であり、ロング・ガードルを重ね履きをした場合にも下肢におけるボディラインが、スッキリとするとともに着用時の履き心地が良く、装着性、爽快性が優れ、歩行も軽快に行え、運動性も優れたファンデーション下着を提供することを目的とする。
【課題を解決するための手段】
【０００５】
本考案は上記課題に鑑みなされ、請求項１に記載の考案は、下着本体と、該下着本体に対し分離可能に設けられるブラジャーとを備え、前記下着本体が、略アンダー・バストに到る身丈に形成され、前記ブラジャーの左右のカップ部を一緒に収容可能な凹状部、または前記ブラジャーの左右のカップ部のアンダー・バスト部を収容する形状、身丈にて上縁部が凹設された２つのくり部を前身頃の胸部に形成され、前記下着本体の下方部には左右の両肢を各個に挿入する開口部を左右に有するショーツ形の下装部が一体に形成されたファンデーション下着において、
前記下装部が、後身頃の中央に伸縮性を有する背面略Ｙ字状をなす幅狭の履帯体を縦長に設け、該履帯体の左右には腰の腸骨付近を横切って足の付け根付近に到る上向きに凸の円弧状の臀部くり部を前記履帯体を中心に略左右対称に形成したことを特徴とする。
【０００６】
また、本考案の請求項２に記載の考案は、請求項１において、前記下着本体が、横方向に大きく伸縮する布帛により形成され、ヒップ・アップと横腹の引き締めとを行うヒップ・アップ兼引き締め構成片を前記履帯体を中央にして大臀筋の上部から左右の足の付け根に沿って腸骨の上部を覆うように設けたことを特徴とする。
【０００７】
また、本考案の請求項３に記載の考案は、請求項１または請求項２において、前記下装部が、前記履帯体と、前記臀部くり部と、によりＴバックを形成したことを特徴とする。
【０００８】
また、本考案の請求項４に記載の考案は、請求項１−請求項３の何れかにおいて、前記履帯体が、股間を通り前身頃の中央を経て両足の付け根に到る正面略Ｙ字状をなす前部履帯体と、該前部履帯体に係止手段により係脱可能となる縦方向に伸縮性を有する後部履帯体とにより形成されることを特徴とする。
【０００９】
また、本考案の請求項５に記載の考案は、上記請求項１−３の何れかの構造のファンデーション下着において、ロング・ガードルが組み合わされて選択して装用されることを特徴とする。
【考案の効果】
【００１０】
本考案の請求項１に記載の考案によれば、下着本体と、該下着本体に対し分離可能に設けられるブラジャーとを備え、前記下着本体が、略アンダー・バストに到る身丈に形成され、前記ブラジャーの左右のカップ部を一緒に収容可能な凹状部、または前記ブラジャーの左右のカップ部のアンダー・バスト部を収容する形状、身丈にて上縁部が凹設された２つのくり部を前身頃の胸部に形成され、前記下着本体の下方部には左右の両肢を各個に挿入する開口部を左右に有するショーツ形の下装部が一体に形成されたファンデーション下着において、前記下装部が、後身頃の中央に伸縮性を有する背面略Ｙ字状をなす幅狭の履帯体を縦長に設け、該履帯体の左右には腰の腸骨付近を横切って足の付け根付近に到る上向きに凸の円弧状の臀部くり部を前記履帯体を中心に略左右対称に形成したことを特徴とするので、後身頃の中央に縦長に設けた背面略Ｙ字状をなす幅狭の履帯体が伸縮性を発揮することによりヒップアップ性が良好である。また、履帯体の左右には腰の腸骨付近を横切って足の付け根付近に到る上向きに凸の円弧状の臀部くり部が前記履帯体を中心に略左右対称に形成されているので、下装部を装着した場合に、従来よりも開口部の開口度が大きく、臀部くり部から臀部が露出するため、臀部くり部の周囲に設けられた縁取り部の線がスカート、ズボン等のアウターを着用した場合に、ヒップラインに沿って外観的に現れて目立つことなく、スマートさに欠けて見苦しくなるおそれがなく、デザイン性に優れる。また、ロング・ガードルとの重ね履きした場合に、ロング・ガードルの臀部、および筒状の脚挿入部が下装部の開口部から突出するとともに、下肢部の臀部が臀部くり部から露出するので、下肢におけるボディラインがスッキリとするとともに着用時の履き心地が良く、装着性、爽快性に優れ、歩行も軽快に行え、運動性も優れる。
【００１１】
また、本考案の請求項２に記載の考案によれば、前記下着本体が、横方向に大きく伸縮する布帛により形成され、ヒップ・アップと横腹の引き締めとを行うヒップ・アップ兼引き締め構成片を前記履帯体を中央にして大臀筋の上部から左右の足の付け根に沿って腸骨の上部を覆うように設けたことを特徴とするので、中央の履帯体が上下方向に伸縮するのと、前記履帯体を中央にして大臀筋の上部から左右の足の付け根に沿って腸骨の上部を覆うように設けたヒップ・アップ兼引き締め構成片が横方向に大きく伸縮することによりヒップ・アップと、横腹の引き締めとがはかれる。
【００１２】
また、本考案の請求項３に記載の考案によれば、前記下装部が、前記履帯体と、前記臀部くり部と、によりＴバックを形成したことを特徴とするので、後身頃の中央に縦長に設けた幅狭の履帯体が伸縮性を発揮することによりヒップアップ性が良好である。また、履帯体の左右には腰の腸骨付近を横切って足の付け根付近に到る上向きに凸の円弧状の臀部くり部が前記履帯体を中心に略左右対称に形成されたＴバックをなしているので、下装部を装着した場合に、従来よりも開口部の開口度が大きく、臀部くり部から臀部が露出するため、臀部くり部の周囲に設けられた縁取り部の線がスカート、ズボン等のアウターを着用した場合に、ヒップラインに沿って外観的に現れて目立つことなく、スマートさに欠けて見苦しくなるおそれがなく、デザイン性に優れる。また、ロング・ガードルとの重ね履きした場合に、ロング・ガードルの臀部、および筒状の脚挿入部が下装部の開口部から突出するとともに、下肢部の臀部が臀部くり部から露出するので、下肢におけるボディラインが肥満とならず、スッキリとするとともに着用時の履き心地が良く、装着性、爽快性に優れ、歩行も軽快に行え、運動性も優れる。
【００１３】
また、本考案の請求項４に記載の考案によれば、前記履帯体が、股間を通り前身頃の中央を経て両足の付け根に到る正面略Ｙ字状をなす前部履帯体と、該前部履帯体に係止手段により係脱可能となる縦方向に伸縮性を有する後部履帯体とにより形成されることを特徴とするので、係止手段を係脱操作することにより下着本体を装着したり、脱衣が迅速かつ確実に行える。
【００１４】
また、本考案の請求項５に記載の考案によれば、上記構造のファンデーション下着において、ロング・ガードルが組み合わされて選択して装用されることを特徴とするので、ロング・ガードルを重ね履きした場合に、ロング・ガードルの臀部、および筒状の脚挿入部が下装部の開口部から突出するとともに、下肢部の臀部が臀部くり部から露出するため、下肢におけるボディラインが肥満とならず、スッキリとするとともに着用時の履き心地が良く、装着性、爽快性に優れ、歩行も軽快に行え、運動性も優れる。
【考案を実施するための最良の形態】
【００１５】
以下、図面に従って本考案の実施の最良の形態により、本考案の詳細を説明する。
【００１６】
図１は本考案のファンデーション下着の実施形態を示す正面図、図２は同じくファンデーション下着の背面図、図３は同じくファンデーション下着の使用状態を示し、肩紐およびブラジャーを省略した背面図、図４は同じくロング・ガードルを併用した使用状態を示す背面図、図５は同じくファンデーション下着の下着本体からブラジャー部を分離した状態の正面図である。
【００１７】
本実施形態は、下着本体１と、該下着本体１に対し分離可能に設けられるブラジャー２とを備え、前記下着本体１が、略アンダー・バスト３に到る身丈Ｈに形成され、前記ブラジャー２の左右のカップ部４、４′を一緒に収容可能な図には示さない正面Ｕ字状の凹状部、または前記ブラジャー２の左右のカップ部４、４′のアンダー・バスト部３Ａ,３Ｂを収容する形状、身丈にて上縁部が凹設された２つのくり部５,５′を前身頃Ｆの胸部に形成され、前記下着本体１の下方部には左右の両肢を各個に挿入する開口部６,６′を左右に有するショーツ形の下装部７が一体に形成されたファンデーション下着である点は特許文献１に記載のファンデーション下着と同様の構成である。
【００１８】
しかしながら、前記下装部７が、後身頃Ｂの中央に伸縮性を有する背面略Ｙ字状をなす幅狭の履帯体８を縦長に設け、該履帯体８の左右には腰の腸骨９,９′付近を横切って足の付け根付近に到る上向きに凸の円弧状の臀部くり部１０,１０′を前記履帯体８を中心に略左右対称に形成している。
【００１９】
前記下着本体１が、前身頃Ｆと後身頃Ｂとで構成される。このうち前身頃Ｆにおいては、不伸縮性の布帛により形成され、胸元、胃、腹、下腹部、股間を覆うように中央に縦に配置された前部中央構成片１２と、伸縮性の布帛により形成され、前記アンダー・バスト部３Ａ,３Ｂに沿って脇の下へと前記前部中央構成片１２を中央にしてその左右に横長に配置された胸脇構成片１３,１３′と、伸縮性の布帛により形成され、前記前部中央構成片１２を中央にしてその左右に横長に配置された脇腹構成片１４Ａ,１４′Ａと、伸縮性の布帛により形成され、前記前部中央構成片１２を中央にしてその左右に横長に配置されたウェスト構成片１５Ａ,１５′Ａと、横方向に大きく伸縮する布帛により形成され、左右の足の付け根に沿って腸骨９,９′の上部を覆うように設けられ、横腹と足の付け根の引き締めを行うためのヒップ・アップ兼引き締め構成片１７Ａ,１７′Ａと、該ヒップ・アップ兼引き締め構成片１７Ａ,１７′Ａに組み合わされて、縦方向に大きく伸縮する布帛により形成されたヒップ・アップ兼引き締め構成片１７Ｂ,１７′Ｂとにより形成される。
【００２０】
このうち、前記胸脇構成片１３,１３′と、前記ウェスト構成片１５Ａ,１５′Ａと、前記ヒップ・アップ兼引き締め構成片１７Ａ,１７′Ａと、前記ヒップ・アップ兼引き締め構成片１７Ｂ,１７′Ｂとは、裏面にメッシュが裏張りされることにより、通気性、伸縮性、保温性を発揮するようになっている。
【００２１】
また、前記後身頃Ｂは、伸縮性の布帛により形成され、中央に上段、中段、下段と縦に配置された第１背部構成片１８と、第２背部構成片１９と、第３背部構成片２０と、該第３背部構成片２０の下方に配置された前記履帯体８と、前記第１背部構成片１８を中央にしてその左右に配置されて伸縮性を有する布帛により形成された左右の肩部構成片２１,２１′と、前記第２背部構成片１９を中央にしてその左右に配置されて伸縮性を有する布帛により形成された左右の脇腹構成片１４Ｂ,１４′Ｂと、前記第３背部構成片２０を中央にしてその左右に配置されて伸縮性を有する布帛により形成された左右のウェスト構成片１５Ｂ,１５′Ｂと、前記履帯体８の左右に設けられて伸縮性を有する布帛により形成された腰部構成片２２,２２′と、横方向に大きく伸縮する布帛により形成され、前記ヒップ・アップ兼引き締め構成片１７Ａ,１７′Ａ；１７Ｂ,１７′Ｂと協同してヒップ・アップと横腹の引き締めとを行うために前記履帯体８を中央にして大臀筋の上部から左右の足の付け根に沿って腸骨の上部を覆うように設けた左右のヒップ・アップ兼引き締め構成片１７Ｃ,１７′Ｃとにより形成される。
【００２２】
また、第２背部構成片１９と、肩部構成片２１,２１′と、脇腹構成片１４Ｂ,１４Ｂ′との裏面には、メッシュが裏張りされることにより、通気性、伸縮性、保温性を発揮するようになっている。
【００２３】
また、前記下装部７が、前記履帯体８と、前記臀部くり部１０,１０′と、によりＴバックを形成する。
【００２４】
前記履帯体８が、股間を通り前身頃Ｆの中央を経て両足の付け根に到る正面略Ｙ字状をなす前部履帯体８Ａと、該前部履帯体８Ａに係止手段２３により係脱可能となる縦方向に伸縮性を有する後部履帯体８Ｂとにより形成される。
【００２５】
前記係止手段２３は、例えば雄スナップ体、および雌スナップ体、また、雄雌の起毛群により形成される面ファスナー、ボタン、およびボタン孔等が挙げられる。そして、この
係止手段２３を係脱操作により下着本体１を装着したり、脱衣が迅速かつ確実に行える。
【００２６】
２４,２４′は前記下着本体１の前身頃Ｆ側に配置された左右の胸脇構成片１３,１３′と、後身頃Ｂ側に配置された第１背部構成片１８の中央に設けた背面Ｕ字状のくり部１８ａの左右とに前後の両端を着脱自在に取付けられる左右の肩紐である。この肩紐２４,２４′を下着本体１に取付けるのには、肩紐２４,２４′の前部、および下着本体１の前記第１背部構成片１８の左右に取付けられたＥ環２５,２５′と、該Ｅ環２５,２５が着脱可能に前記下着本体１の前身頃Ｆ側に配置された左右の胸脇構成片１３,１３′の最上部、およびＥ環２５′,２５′が着脱可能に肩紐２４,２４′の後部に設けられたループ２６,２６′とにより形成されるものがある。
【００２７】
２７,２７′は前記肩紐２４,２４′と同様のＥ環と、ループ部との取付構造にてブラジャー２にて着脱自在に取付けられる肩紐である。
【００２８】
２８は上記構造のファンデーション下着に組み合わされて選択して装用されるロング・ガードルであり、このロング・ガードル２８は、本実施形態のファンデーション下着に重ね履きした場合に、筒状の脚挿入部２９,２９′が下装部７の開口部６,６′から突出するとともに、臀部が臀部くり部１０,１０′から露出するようになる。
【００２９】
本実施形態のファンデーション下着は以上の構成からなり、女性が下着本体１を装用するには、先ず自己のバストのサイズに適応したサイズのカップ部４,４′を有するブラジャー２を胸に着用する。それから、下着本体１の下方のショーツ形の下装部７の下方左右に設けられた左右の開口部６,６′内に両肢を挿入するようにして下着本体１を引き上げて胴部に着用する。
【００３０】
この際、係止手段２３の例えば雄スナップ体と、雌スナップ体との係合を解くことにより履帯体８の前部履帯体８Ａを後部履帯体８Ｂから分離することにより広げて開口度を増せば、下着本体１の装着操作に窮屈を覚えることなく迅速かつ円滑に行うことができる。
【００３１】
また、前述の前記係止手段２３は、雄スナップ体、および雌スナップ体に限ることなく、例えば雄雌の起毛群により形成される面ファスナー、ボタン、およびボタン孔等が挙げられ、限定する趣旨ではない。
【００３２】
そして、下着本体１が、略アンダー・バスト３に到る身丈Ｈに形成され、この下着本体１の前身頃Ｆは図には示さない正面Ｕ字状の凹状部が凹設されるか、またはブラジャー２の左右のカップ部４、４′のアンダー・バスト部３Ａ,３Ｂを収容する形状、身丈にて上縁部を有する２つのくり部５,５′が凹設されているので、ブラジャー２の左右のカップ部４、４′を一緒に図には示さない正面Ｕ字状の凹状部に収容するか、またはブラジャー２の左右のカップ部４、４′を２つのくり部５,５′内に収容させることによりブラジャー２のアンダー・バスト部３Ａ,３Ｂを２つのくり部５,５′の上縁部の形状に適合させて左右のカップ部４、４′を支持し、ずれ動きを防止する。その後、係止手段２３の例えば雄スナップ体と、雌スナップ体とを係合することにより前部履帯体８Ａと、後部履帯体８Ｂとの自由端とを係合して股間において閉じる。
【００３３】
このようにして着用された本実施形態１のファンデーション下着では、下着本体１の前身頃Ｆにおいては、中央に縦に不伸縮性の布帛により形成された前部中央構成片１２が配置されることによって胸元、胃、腹、下腹部、股間が前部中央構成片１２にて覆われ、贅肉が抑えられ、ボディラインが整えられる。
【００３４】
また、本実施形態１のファンデーション下着は、前身頃Ｆにおいては前記前部中央構成片１２を中央にしてその左右に伸縮性の布帛により形成されたアンダー・バスト部３Ａ,３Ｂに沿って脇の下へと横長に配置された胸脇構成片１３,１３′と、そして、脇腹構成片１４Ａ,１４′Ａと、ウェスト構成片１５Ａ,１５′Ａとがそれぞれ横長に配置され、しかも、後身頃Ｂにおいては、中央の上段、中段、下段には縦に伸縮性の布帛により形成された第１背部構成片１８と、第２背部構成片１９と、第３背部構成片２０とが配置され、そして、前記第１背部構成片１８を中央にしてその左右には伸縮性を有する布帛により形成された左右の肩部構成片２１,２１′と、前記第２背部構成片１９を中央にしてその左右に伸縮性を有する布帛により形成された左右の脇腹構成片１４Ｂ,１４′Ｂと、前記第３背部構成片２０を中央にしてその左右には伸縮性を有する布帛により形成された左右のウェスト構成片１５Ｂ,１５′Ｂと、前記履帯体８の後部履帯体８Ｂの左右には伸縮性を有する布帛により形成された腰部構成片２２,２２′とがそれぞれ配置されているので、胸脇は前記胸脇構成片１３,１３′によって、また、脇腹、ウェスト、腰、腹、下腹等は前記脇腹構成片１４Ａ,１４′Ａや前記ウェスト構成片１５Ａ,１５′Ａ、腰部構成片２２,２２′によって覆われ、身体の各部所の贅肉は引き締められ、体形が整えられる。
【００３５】
しかも、これらの胸脇構成片１３,１３′と、脇腹構成片１４Ａ,１４′Ａと、ウェスト構成片１５Ａ,１５′Ａと、第１背部構成片１８と、第２背部構成片１９と、第３背部構成片２０と、左右の肩部構成片２１,２１′と、脇腹構成片１４Ｂ,１４′Ｂと、ウェスト構成片１５Ｂ,１５′Ｂと、腰部構成片２２,２２′とは、伸縮性を有する布帛により形成されているので、伸屈、捻回、回動等、運動に対する追従性に優れる。
【００３６】
また、本実施形態１のファンデーション下着は、図１に示されるように前身頃Ｆには横方向に大きく伸縮する布帛により、左右の足の付け根に沿って腸骨９,９′の上部を覆うようにヒップ・アップ兼引き締め構成片１７Ａ,１７′Ａ；１７Ｂ,１７′Ｂが設けられ、しかも、図２，および図３に示すように後身頃Ｂには、縦方向に伸縮性を有する背面略Ｙ字状をなす幅狭の履帯体８を背面中央に設けられ、さらには、横方向に大きく伸縮する布帛により前記ヒップ・アップ兼引き締め構成片１７Ａ,１７′Ａ；１７Ｂ,１７′Ｂと協同する左右のヒップ・アップ兼引き締め構成片１７Ｃ,１７′Ｃが前記履帯体８を中央にして大臀筋の上部から左右の足の付け根に沿って腸骨９,９′の上部を覆うように設けられているので、前身頃Ｆに設けたヒップ・アップ兼引き締め構成片１７Ａ,１７′Ａ；１７Ｂ,１７′Ｂと、後身頃Ｂに設けたヒップ・アップ兼引き締め構成片１７Ｃ,１７′Ｃとが協同して左右の足の付け根に沿って腸骨９,９′の上部回りを掴むように捲回されるから、歩行時や運動時での開口部６,６′のめくり上がりや下着本体１のずり下がりやずり上がりを生ずることなく、密着性が良くなるとともに、腹と足の付け根の贅肉の引き締めを行われ、体形を整えることができる。
【００３７】
しかも、本実施形態１のファンデーション下着では、図２，図３に示すように、後身頃Ｂには背部中央に上下方向に伸縮性を有する幅狭の履帯体８と、この履帯体８を中央にして大臀筋の上部から左右の足の付け根に沿って腸骨９,９′の上部を覆うように設けられた前述の腰部構成片２２,２２′、ヒップ・アップ兼引き締め構成片１７Ｃ,１７′Ｃが上下方向に大きく伸縮するとともに、これらの履帯体８と、腰部構成片２２,２２′と、ヒップ・アップ兼引き締め構成片１７Ｃ,１７′Ｃとにより、臀部の左右の大臀筋を包囲するように支持してヒップアップがはかれる。
【００３８】
また、図２，図３に示すように、履帯体８の左右には腰の腸骨９,９′付近を横切って足の付け根付近に到る上向きに凸の円弧状の臀部くり部１０,１０′が前記履帯体８を中心に略左右対称に形成されてＴバックを形成しているので、下装部７を装着した場合に、特許文献１に記載の従来のファンデーション下着よりも開口部６,６′の開口度が大きく、臀部くり部１０,１０′から臀部が広い面積にて大きく露出するため、臀部くり部１０,１０′の周囲の開口部６,６′の縁取り部の線が、スカート、ズボン等のアウターを着用した場合に、ヒップラインに沿って外観的に現れて目立つことなく、スマートになり、デザイン性に優れる。また、臀部の露出度が大きいので、通気性が良好であり、夏期等においてむれを生ぜず、痒みを覚えない。
【００３９】
また、ロング・ガードル２８を下装部７の下側に重ね履きして選択使用した場合に、ロング・ガードル２８の筒状の脚挿入部２９,２９′が下装部７の開口部６,６′から突出するとともに、臀部が前述のように臀部くり部１０,１０′から露出するので、下肢におけるボディラインがスッキリと露呈するとともに着用時の履き心地が良く、装着性、爽快性に優れる。また、歩行も両足の動きを邪魔して大きな抵抗となることがないので、軽快に歩行が行え、運動性は優れる。
【産業上の利用可能性】
【００４０】
本考案のファンデーション下着は、ヒップアップ性が良好であり、ヒップラインが外観的に目立つことなく、外観的なデザイン性に優れ、また、ロング・ガードルとの重ね履きの選択使用が可能であってロング・ガードルを重ね履きした場合にも下肢におけるボディラインがスッキリとするとともに着用時の履き心地が良く、装着性、爽快性が優れ、歩行も軽快に行え、運動性も優れる用途・機能に適する。
【図面の簡単な説明】
【００４１】
【図１】図１は本考案のファンデーション下着の実施形態を示す正面図である。
【図２】図２は同じくファンデーション下着の背面図である。
【図３】図３は同じくファンデーション下着の使用状態を示し、肩紐およびブラジャーを省略した背面図である。
【図４】図４は同じくロング・ガードルを併用した使用状態を示す背面図である。
【図５】図５は同じくファンデーション下着の下着本体からブラジャー部を分離した状態の正面図である。
【符号の説明】
【００４２】
１        下着本体
２        ブラジャー
３        アンダー・バスト
４        カップ部
４′      カップ部
５        くり部
５′      くり部
６        開口部
６′      開口部
８        覆帯体
８Ａ      前部覆帯体
８Ｂ      後部覆帯体
１７Ａ    ヒップ・アップ兼引き締め構成片
１７′Ａ  ヒップ・アップ兼引き締め構成片
１７Ｂ    ヒップ・アップ兼引き締め構成片
１７′Ｂ  ヒップ・アップ兼引き締め構成片
１７Ｃ    ヒップ・アップ兼引き締め構成片
１７′Ｃ  ヒップ・アップ兼引き締め構成片
２３      係止手段
２８      ロング・ガードル
【図１】
0003134284.tif 000003
【図２】
0003134284.tif 000004
【図３】
0003134284.tif 000005
【図４】
0003134284.tif 000006
【図５】
0003134284.tif 000007